(57)【要約】【課題】  小型、軽量化すると共に机上に載置可能な細隙灯顕微鏡を実現する。【解決手段】眼球にスリット光を照射する照明筒１と、眼球を観察する顕微鏡２０を台座１２上に支持した細隙灯顕微鏡において、光源としてＬＥＤランプＬを使用することにより光源を完全に照明筒内に収容すると共に上記台座の底面を平坦に構成し、台座の後方に上端に顕微鏡２０を配したグリップ１１を立設すると共に台座の前方を左右に張り出させ、上記張り出し箇所１３に照明部が左右円周方向に走行すべき円弧状のガイド溝１４を設ける。【選択図】      図１
0003107958.tif 000002
【実用新案登録請求の範囲】
【請求項１】
眼球にスリット光を照射する照明筒と、眼球を観察する顕微鏡を台座上に支持した細隙灯顕微鏡において、光源としてＬＥＤランプを使用することにより光源を完全に照明筒内に収容したことを特徴とする細隙灯顕微鏡。
【請求項２】
眼球にスリット光を照射する照明筒と、眼球を観察する顕微鏡を台座上に支持した細隙灯顕微鏡において、光源としてＬＥＤランプを使用することにより光源を完全に照明筒内に収容すると共に上記台座の底面を平坦に構成し、台座の後方に上端に顕微鏡を配したグリップを立設すると共に台座の前方を左右に張り出させ、上記張り出し箇所に照明部が左右円周方向に走行すべき円弧状のガイド溝を設けたことを特徴とする細隙灯顕微鏡。
【考案の詳細な説明】
【技術分野】
【０００１】
この考案は人の眼球を検査するために使用される手持ち式の細隙灯顕微鏡に関する。
【背景技術】
【０００２】
眼球の角膜や水晶体等の透明体に、斜め方向から強いスリット光を照明部より照射して光切断をし、組織中の微細物質の散光によって微小な異変を浮き立たせこれを顕微鏡により拡大観察する装置が細隙灯顕微鏡として古くから知られており、近年は手持ち型のものが多くなり、開業医や回診、往診用に広く普及している。
【０００３】
この手持ち型の細隙灯顕微鏡としては、上端に顕微鏡を配した柱状のグリップと、このグリップの下方より前方に向かって張り出させたアームにより支持部を構成し、このアーム上の軸を中心に揺動するレバー上にスリット光を照射する照明筒を支持した構成よりなるものが公知である（特許文献１）。前記の考案においては、光切断をする角度を変化させるために照明筒を移動させる手段として、アーム上の軸を中心に揺動するレバー上にスリット光を照射する照明筒を支持する構成を採用していたが、これに代えてアームに照明筒が走行すべき円弧状のガイド溝を設けると共に、このガイド溝に沿って左右円周方向に照明筒を移動させる考案も公知である（特許文献２）。
【特許文献１】実願平１−８３５８９号（実開平３−２４１０７）のマイクロフィルム
【特許文献２】実開平５−５３６０４号公報
【考案の開示】
【考案が解決しようとする課題】
【０００４】
前記の公知考案においては光源として電球を使用していた。この場合、電球としてはタングステンランプが先ず挙げられるが、体積が大きく発熱量が多いという問題があった。一方、ハロゲンランプやクリプトンランプは体積は小さいものの、発熱量は依然として多く、特にハロゲンランプは高熱になる問題があった。従って、照明筒内に光源を収容する構造とした場合に放熱を優先させると必然的に照明筒が大型化し、手持ちし難いばかりでなく、照明筒を移動させた際にあやまって被検査者に接触する確率が大きくなった。又、放熱を犠牲にして照明筒を小型化すると照明筒の光源付近が高温になりやすく、万が一被検査者に接触させた場合に火傷を負わせる危険性があり、特に挙動が一定しない乳幼児が被検査者の場合にこの危険性が高かった。
【０００５】
ところで、前記の特許文献２記載の考案においては、照明筒の光源を外部に設けると共に、両者をファイバーライトガイドにより連結しているので、少なくとも前記の問題は解消される。しかしながら、この場合には照明筒の下端からファイバーライトガイドが突出するために、検査途中において細隙灯顕微鏡を机上に載置することができない問題があった。
【０００６】
又、電球を採用する前記の公知発明に共通の問題として電力消費量が大きいことと、光量を下げると光が赤色化すること、それにランプが切れやすい問題があり、特に最後の問題は診察中にランプが切れると高熱化しているランプが冷えるまで交換できない不便さを伴うことになる。
【課題を解決するための手段】
【０００７】
この考案は以上の従来技術の問題点を解消した細隙灯顕微鏡を提供することを目的として創作されたものであり、ここでは次の２つの考案を開示する。
【０００８】
第１の考案は、眼球にスリット光を照射する照明筒と、眼球を観察する顕微鏡を台座上に支持した細隙灯顕微鏡において、光源としてＬＥＤランプを使用することにより光源を完全に照明筒内に収容したことを特徴とする。
【０００９】
又、第２の考案は、眼球にスリット光を照射する照明筒と、眼球を観察する顕微鏡を台座上に支持した細隙灯顕微鏡において、光源としてＬＥＤランプを使用することにより光源を完全に照明筒内に収容すると共に上記台座の底面を平坦に構成し、台座の後方に上端に顕微鏡を配したグリップを立設すると共に台座の前方を左右に張り出させ、上記張り出し箇所に照明部が左右円周方向に走行すべき円弧状のガイド溝を設けたことを特徴とする。
【考案の効果】
【００１０】
よって、この考案の細隙灯顕微鏡によれば光源としてＬＥＤランプを使用するので、ランプ自体の体積が小さいばかりでなく発熱量が少なく、放熱のために照明筒を大型化することなく照明筒内に光源を完全に収容できるので、装置全体を小型化することが可能となり、照明筒を移動させた際にあやまって被検査者に接触するおそれが減少すると共に手持ちしやすく軽量な細隙灯顕微鏡が実現される。
【００１１】
又、前記の後者の公知考案のように照明筒の下端からファイバーライトガイドが突出しないので、細隙灯顕微鏡を机上に載置することが可能となる。特に台座の底面を平坦に構成し、台座の後方に上端に顕微鏡を配したグリップを立設すると共に台座の前方を左右に張り出させ、上記張り出し箇所に照明部が左右円周方向に走行すべき円弧状のガイド溝を設けた第２の考案の場合は、台座が三方向に延びた平面三角形状となるので安定性が良好で（図３参照）、例えばカルテ記載時に片手で細隙灯顕微鏡をサイドテーブルなどに容易に載置することができ、使い勝手が良い細隙灯顕微鏡が実現される。
【００１２】
更に、ＬＥＤランプの特性として電圧効果しても、照明輝度が下がらなく、又、赤色化しないので常に一定の照度、色相で観察することが可能となる。
【考案を実施するための最良の形態】
【００１３】
以下、この考案の具体的実施例を添付図面に基づいて説明する。図２はこの考案の細隙灯顕微鏡の全体を示す斜視図である。この考案の細隙灯顕微鏡は眼球にスリット光を照射する照明筒１と、上記眼球を観察する顕微鏡２０と、これらを支持する台座１２から構成される公知の構成からなる。
【００１４】
台座１２の後方には検査者が把持すべき柱状のグリップ１１が立設され、このグリップ１１の上方には顕微鏡２０が支持される。又、台座１２の前方は左右に張り出させた張り出し箇所１３に構成される。
【００１５】
顕微鏡２０は公知の双眼実体顕微鏡であり、一対の対物レンズ２１、２１及び接眼レンズ２２、２２を有し、前方に額当て２５が配される。上記額当て２５は先端を被検査者の額に当接させることにより、その眼球を顕微鏡２０の作動距離に位置させるためのものであり、顕微鏡２０の前方に突設された鞘２３内に摺嵌されると共に、クランプ２３ａにより適宜位置で固定される。
【００１６】
台座１２の前方の張り出し箇所１３は照明筒１が左右円周方向に走行するための基台となるべきものであり、その天板に照明筒１が移動すべき円弧状のガイド溝１４が設けられる。上記ガイド溝１４は、その円弧の曲率がその仮想中心の延長線上に顕微鏡の焦点が一致するように設定される。
【００１７】
図１は照明筒１の内部構造を示す図である。上記照明筒１の下端には台座１２の前方の張り出し箇所１３のガイド溝１４に摺嵌すべき脚３が設けられる。図中符号４は照明筒１をガイドアーム１３に対し摺嵌自在に固定するためのストッパーであり、ガイド溝１４に挿入された脚３に外嵌することにより、鏡筒２の底面とこのストッパー４の上面によりガイドアーム１３の天板を挟持する。この場合、照明筒１はガイド溝１４の溝方向にのみ摺動し、軸方向には回転しないことは勿論であり、そのためにこの実施例ではストッパー４の前後の壁面をガイドアーム１３の内壁に摺接する形状とし、回転止めとしている。
【００１８】
図中符合ＬはＬＥＤランプであり、照明筒１の下方に収容される。ここでは、ＬＥＤランプとして白色ＬＥＤを使用している。ＬＥＤランプＬからの光はコンデンサーレンズ６、スリット７、投影レンズ８を経た後、照明プリズム９により眼球方向に照射される。尚、図中符号５はタレット式のフィルター板、同７ａはスリット７を開閉するための開閉リングである。
【００１９】
尚、図示しないがグリップ１１内にはＬＥＤランプＬを発光させるための電源が収容される。図中符合Ｓは点灯、消灯を行うためのスイッチ、２２は明るさを調節するためのボリュームである。
【００２０】
以上の細隙灯顕微鏡の使用に当たっては、額当て２５を被検査者の額に当接させて常法通り手持ち本体を把持してスリット光を眼球に照射し、照明筒１を指先で移動させることにより光切断する角度を変化させていく。尚、図中符号２ａはその際に照明筒１を撮みやすくするためのゴムリングである。
【図面の簡単な説明】
【００２１】
【図１】この考案の細隙灯顕微鏡の一部切り欠き側面図。
【図２】同上、斜視図。
【図３】同上、底面図。
【符号の説明】
【００２２】
１        照明筒
１１      グリップ
１２      台座
１３      張り出し箇所
１４      ガイド溝
２０      顕微鏡
【図１】
0003107958.tif 000003
【図２】
0003107958.tif 000004
【図３】
0003107958.tif 000005